(57)【特許請求の範囲】
【請求項１】
ケース本体（１０）と蓋体（１１）とでディスクカートリッジ（１）用の収納室が区画してあり、ケース前面にディスクカートリッジ（１）を出し入れする第１開口（１２）が設けてあるブックケース型の収納ケースであって、
ケース本体（１０）の上面にディスクカートリッジ（１）を出し入れする第２開口（１７）が設けられており、
蓋体（１１）は、第２開口（１７）を開閉できるようケース本体（１０）に前後スライド自在に支持されており、
蓋体（１１）の主面壁（１８）の内面に、ケース本体（１０）の側壁（１５）と平行な蓋側壁（１９）が突設されており、
蓋体（１１）とケース本体（１０）の側壁（１５）との間に、蓋体（１１）の開放移動を規制するスライドロック（Ｓ）が設けられており、
スライドロック（Ｓ）は、蓋側壁（１９）の前記側壁（１５）との対向面に突設した係合片（２７）と、前記側壁（１５）の内面に横向きに突設したロック壁（２８）とを有し、
係合片（２７）がロック壁（２８）の突出側面を乗り越えて、ロック状態とロック解除状態とに切り換わるよう構成してあるディスクカートリッジ用の収納ケース。
【請求項２】
ロック壁（２８）の突出側面の前後に、傾斜面からなる係合案内面（２８ａ・２８ａ）がそれぞれ設けられており、
係合片（２７）が、両係合案内面（２８ａ）を乗り越える摺接壁（２７ａ）と、蓋体（１１）を閉じた状態においてロック壁（２８）の下面に対向する水平の掛止壁（２７ｂ）とを有する請求項１記載のディスクカートリッジ用の収納ケース。  
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するためのブックケース型の収納ケースに関する。収納ケースには常時開口するケース前面の第１開口と、蓋体で開閉されるケース上面の第２開口とが設けてある。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケース内には一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。この収納ケースは、ＭＤを収納ケースに単に挿嵌し、あるいはＭＤをロック体の弾性に抗して収納ケースから抜き出し操作するだけで、手軽に出し入れできる。しかし、出入口の開口幅が５〜６mm前後と狭いため、例えば薄暗い場所等ではＭＤを収納ケースに挿嵌し辛い。インデックスカードの収納ケースへの出し入れも煩雑となる。
【０００３】
上記のような使用上の不便を解消するために、本出願人はケース前面の第１開口とは別に、ケース上面をも開閉できる収納ケースを先に提案した。そこでは、図８に示すように、蓋体５０をケース本体５１で前後スライド自在に支持して、蓋体５０を閉じ位置から矢印ａで示す分だけスライド開放したのち上開き揺動して、ケース上面の第２開口５２を開放する蓋開閉構造を採った。蓋体５０は蓋側壁５３に突設した軸５４と、ケース本体５１の側壁５４の内面のリブ５５で区画したガイド溝５６とを介してケース本体５１に連結してある。また、他物との衝突や落下衝撃を受けて蓋体５０が簡単に開くのを防ぐために、ケース本体５１の側壁５４と蓋体５０との間に、蓋体５０の開放移動を規制するスライドロックを設けてある。
【０００４】
スライドロックは、主面壁５７の内面前部の左右に突設した係合片５８と、係合片５８に対応して両側壁５４の内面前部の上端寄りに突設した逆台形状のロック壁５９とで構成する。係合片５８は断面Ｌ字形の突片からなり、その水平壁の上面前端に、ロック壁５９と係合する突部６０を設ける。蓋体５０をケース後方へスライド操作することにより、突部６０がロック壁５９の下面をくぐり抜けると、スライドロックのロック状態を解除できるようにしている。
【０００５】
【発明が解決しようとする課題】
上記のスライドロックでは、突部６０がロック壁５９の下面をくぐり抜けるとき、係合片５８をケース本体５１の底壁５１ａの側へ弾性変形させる係脱構造を採る。しかし、係合片５８を構成する垂直壁５８ａおよび水平壁５８ｂの突出寸法がそれぞれ１mm前後と小さいため、係脱時に係合片５８が弾性変形し難く、スライドロックのロック操作あるいはロック解除操作に大きな操作力を要し、蓋体５０を開閉し難いことが判った。突部６０のロック壁５９との係合量を減らし、あるいは係合片５８の厚み寸法を減らす等により、係脱時の操作抵抗を減少することはできるが、そうすると落下衝撃を受けた場合に、ロック状態が容易に解除されるおそれがある。場合によっては、係合片５８が破損することもある。
【０００６】
本発明の目的は、左程大きな操作力を加える必要もなく、蓋体を簡単に開閉できるうえに、落下衝撃を受けたような場合にも、蓋体を確実にロック保持できるスライドロックを備えたディスクカートリッジ用の収納ケースを得るにある。
本発明の他の目的は、蓋側壁とケース本体の側壁との少なくとも一方が厚み方向へたわみ変形することで、スライドロックの係脱を容易化したディスクカートリッジ用の収納ケースを得ることにある。
【０００７】
【課題を解決するための手段】
本発明は、図２に示すごとくケース本体１０と蓋体１１とでディスクカートリッジ１用の収納室が区画してあり、ケース前面にディスクカートリッジ１を出し入れする第１開口１２が設けてあるブックケース型の収納ケースを対象とする。ケース本体１０の上面にはディスクカートリッジ１および必要に応じてインデックスカードを出し入れする第２開口１７を設ける。蓋体１１は、第２開口１７を開閉できるようケース本体１０で前後スライド自在に支持する。蓋体１１とケース本体１０の側壁１５との間に、蓋体１１の開放移動を規制するスライドロックＳを設ける。このスライドロックＳは、図１に示すごとく蓋体１１の主面壁１８の内面側に設けた係合片２７と、前記側壁１５の内面に横向きに突設したロック壁２８とを有する。以て、係合片２７がロック壁２８の突出側面を乗り越えて、ロック状態とロック解除状態に切り換わるよう構成する。
【０００８】
具体的には、蓋体１１の主面壁１８の内面に本体ケース１０の側壁１５と平行な蓋側壁１９を突設し、蓋側壁１９には該側壁１５との対向面に係合片２７を突設する。ロック壁２８の突出側面の前後には、傾斜面からなる係合案内面２８ａ・２８ａをそれぞれ設ける。係合片２７は、両係合案内面２８ａを乗り越える摺接壁２７ａと、蓋体１１を閉じた状態においてロック壁２８の下面と対向する水平の掛止壁２７ｂとを有する。
【０００９】
【作用】
蓋体１１を開閉するとき、係合片２７はケース本体１０の側壁１５に突設したロック壁２８と接当し、ロック壁２８の突出側面を乗り越えながらロック状態あるいはロック解除状態に切り換わる。このとき、ロック壁２８を有する前記側壁１５はケース外側方へ弾性変形して、係合片２７の乗り越えを容易化する。
【００１０】
主面壁１８の内面に蓋側壁１９を突設し、その側面に係合片２７を突設する場合には、ケース本体１０の側壁１５に加えて蓋側壁１９も同時に弾性変形し、係合片２７がロック壁２８を乗り越えるのを更に容易化することができる。ロック壁２８に設けた係合案内面２８ａ・２８ａは、係合片２７の乗り越え動作を滑らかにすることに役立つ。係合片２７に設けた水平の掛止壁２７ｂは、蓋体１１が第２開口１７から浮き上がる向きに動こうとするのを、ロック壁２８と協同して阻止する。
【００１１】
【実施例】
図１ないし図６は本発明の実施例を示しており、これはＭＤ（ディスクカートリッジ）用の収納ケースに供するものである。図２においてＭＤ１は、光磁気ディスク２が薄角箱状のカートリッジケース３に収まっており、カートリッジケース３の上下両面の一側に開口した信号読み取り窓４をシャッター５でスライド開閉できる。カートリッジケース３の下ハーフの左右両側の後部には、位置決め用の凹部６が半長円状にそれぞれ凹設されている。
【００１２】
図２において、収納ケースはケース本体１０と蓋体１１とで内部に収納室が区画してある薄形角箱状のケースからなり、ケース前面にＭＤ１を出し入れするための第１開口１２が設けてある。収納室の内部には、ＭＤ１と共にインデックスカードを収容できる。
【００１３】
図１においてケース本体１０は、底壁１４と、左右一対の側壁１５・１５と、底壁１４の後縁に立設した後壁１６とを一体に形成した、上面および前面が開口するプラスチック成形品からなり、ケース前面の開口を先の第１開口１２とし、ケース上面の開口を第２開口１７とする。蓋体１１は、第２開口１７の全体を上面側から閉止する主面壁１８と、主面壁１８の左右両側の下面側に側壁１５と平行に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の対向間隔は、ＭＤ１の左右幅寸法より僅かに大きく設定しておく。
【００１４】
ケース本体１０と蓋体１１とは次のように連結することにより、先の第２開口１７が蓋体１１で開閉できる。図２、図５および図６において、蓋体１１の左右の蓋側壁１９の中途部の下端外面に軸２１をそれぞれ外向きに突設し、ケース本体１０の左右側壁１５の後端下部にガイド溝２２を設け、このガイド溝２２で軸２１を受け入れ支持する。ガイド溝２２は、側壁１５の内面に突設したリブ２３で区画してある。ガイド溝２２の長さは、後述するロック体３０の装着位置との関係で規定しており、蓋体１１を開放待機位置までスライド開放したとき、ロック体３０がケース後方へ十分に突出できる長さに設定されている。
【００１５】
蓋体１１は、主面壁１８がケース本体１０の左右側壁１５の間に面一状に嵌まり込んで、第２開口１７を完全に閉止する図６（ａ）の閉じ位置と、図６（ｂ）に示すように全体がガイド溝２２に沿って第１開口１２から遠ざかる後ろ向きにスライド移動した第１開放位置と、図６（ｂ）の想像線で示すように全体が軸２１を中心にして上開き揺動して第２開口１７を開放する第２開放位置とに変位できる。蓋体１１の後方ライドを許すために、図５に示すごとく後壁１６の左右両端には、それぞれ開口２５を設けてある。さらに、蓋体１１が揺動開閉するとき、蓋側壁１９がケース本体１０の底壁１４と接当干渉するのを防ぐために、蓋側壁１９の軸２１より後ろ側の壁面に逆Ｖ字形の切欠２６を設けてある。
【００１６】
閉じ位置において、蓋体１１が不用意にケース後方へスライド移動するのを規制するために、蓋側壁１９とケース本体１０の左右側壁１５との対向面間にそれぞれスライドロックＳを設ける。図１および図３においてスライドロックＳは、蓋側壁１９の外側面の前端上部に突設した係合片２７と、係合片２７に対応して両側壁１５の内側面の前端上部寄りに横内向きに突設したロック壁２８とからなる。係合片２７は、主面壁１８と蓋側壁１９に連続する垂直の摺接壁２７ａと、摺接壁２７ａの下端に連続して蓋後方へ延びる水平の掛止壁２７ｂとで、側面から見てＬ字状に形成する。ロック壁２８は突出側面の前後に、傾斜面からなる係合案内面２８ａ・２８ａをそれぞれ設けて、平面視が台形状に形成されている。
【００１７】
閉じ位置において、摺接壁２７ａはロック壁２８の前方の係合案内面２８ａと接当係合して、蓋体１１が後方へスライドするのを規制している。このとき、掛止壁２７ｂはロック壁２８の下面側に回り込んで位置しており、蓋体１１が第２開口１７から浮き上がる向きに動こうとするのを阻止する。
【００１８】
収納ケースの取り扱い時にＭＤ１が滑落するのを防ぐために、蓋体１１の左右の蓋側壁１９にそれぞれロック体３０を設ける。図４においてロック体３０は、前後一対の係合爪３１を有するコ字枠状の基部３２と、基部３２の下部に連続する台形枠状の弾性腕３３とを一体に形成したプラスチック成形品からなり、係合爪３１を蓋側壁１９に圧嵌係合して装着する。この装着状態において、弾性腕３３は蓋側壁１９の内側方に突出するので、図４に示すようにＭＤ１を収納ケースに装填した状態では、弾性腕３３が凹部６に外側方から係合できる。
【００１９】
開放待機位置や開放位置において、ＭＤ１をケース本体１０内へスムーズに装填するために、底壁１４の左右に一対の規制リブ３５を側壁１５と平行に突設する。図５に示すように規制リブ３５は第１開口１２の近傍からガイド溝２２の近傍にわたって設けてあり、その前端に挿入ガイド部３６を一体に形成する。左右の各挿入ガイド部３６は、第１開口１２側へ向かって外広がり状に傾斜する状態でそれぞれ湾曲形成してある。挿入ガイド部３６を除く規制リブ３５の対向間隔は、蓋側壁１９の対向間隔と一致している。そこで、左右の各蓋側壁１９の前半側下部に切欠部３７を設けてあり、蓋体１１を閉じた状態において、規制リブ３５と蓋側壁１９とが切欠部３７を介して上下に隣接できる。
【００２０】
蓋体１１に外力が作用するとき、切欠部３７の周縁壁が規制リブ３５の内面側へ落ち込むおそれがある。とくに、主面壁１８が両側壁１５間に嵌まり込む状態で第２開口１７を閉止する蓋構造を採るときに、その傾向が顕著に表れる。こうした蓋側壁１９の落ち込みを確実に防止して、主面壁１８のたわみ変形を防ぐために、蓋側壁１９に四角形状の接当片３８を設ける。
【００２１】
以上のように構成した収納ケースは、使用状況に応じて蓋体１１を閉じた状態と、第１開放位置へスライド開放した状態と、第２開口１７の全体を開放した状態とのいずれでも、ＭＤ１やインデックスカードを出し入れできる。閉じ位置にあった蓋体１１をケース後方へ押し開き操作すると、係合片２７の摺接壁２７ａは、前方の係合案内面２８ａに案内されてロック壁２８の突出側面を乗り越えて、ロック解除状態に切り換わる。このとき、ケース本体１０の側壁１５と蓋側壁１９とは、互いに逆向きに弾性変形して、摺接壁２７ａの乗り越え抵抗を減少する。従って、閉じ位置における摺接壁２７ａとロック壁２８の係合量が十分に大きく設定してあっても、蓋体１１をより軽快に開き操作し、あるいは閉じ操作できる。つまり蓋体１１をより軽快に開き操作できながら、蓋体１１を閉じ位置に確実にロック保持できる。
【００２２】
使用時の他物との衝突や落下衝撃によって、蓋体１１が第２開口１７から浮き離れる向きの外力を受けると、ロック壁２８が係合片２７の掛止壁２７ｂを受け止めて、蓋体１１の上方への動きを阻止し、これで蓋体１１を確実に閉じ位置に保持する。
【００２３】
蓋体１１を開いた各開放位置においてＭＤ１の装填端を規制リブ３５に当てがいながら差し込むことにより、ＭＤ１を左右方向にガタ付きなく位置決めした状態でケース本体１０内に容易に装填できる。この後に、蓋体１１を閉じ位置へスライド閉止すると、ロック体３０が凹部６と係合してＭＤ１を滑落不能にロック保持する。規制リブ３５は底壁１４の補強材としても機能しており、底壁１４が厚み方向へたわみ変形するのを抑止することに役立っている。
【００２４】
図７はスライドロックＳに関する本発明の別実施例を示す。そこでは、上記の実施例における蓋側壁１９の下端に係合片２７を設け、これに対応するロック壁２８をケース本体１０の側壁１５の上下途中の内面に横向きに突設して、主として蓋側壁１９が内側方へ弾性変形することで、係合片２７の乗り越え抵抗を減少できる。この場合には、係合片２７を蓋側壁１９の前後方向の中途部に設けることにより、掛止壁２７ｂで接当片３８を兼ねることができる。
【００２５】
上記以外に、係合片２７は主面壁１８の下面に突設してもよい。軸２１はケース本体１０の側壁１５の内面に突設し、蓋側壁１９の側にリブ２３を突設してガイド溝２２を形成することができる。蓋体１１は閉じ位置から９０度起立した位置まで開放できるに越したことはないが、第１開放位置において主面壁１８が傾斜する状態であってもよく、単に閉じ位置と第１開放位置との間でスライド開閉できるものであってもよい。
【００２６】
【発明の効果】
本発明では、蓋体１１の側に設けた係合片２７と、ケース本体１０の側壁１５に設けたロック壁２８とでスライドロックＳを構成し、蓋体１１の開閉時に係合片２７がロック壁２８の突出側面を乗り越えるようにし、このとき少なくとも該側壁１５が弾性変形することで、係合片２７の乗り越え抵抗を減少できるようにした。従って、蓋体１１が他物との衝突や落下衝撃等によって簡単に開いてしまうのを確実に防止しながら、必要時には蓋体１１をより小さな操作力で支障なく開閉して、ディスクカートリッジ１の出し入れが容易に行える。
【図面の簡単な説明】
【図１】スライドロックを含む要部の斜視図である。
【図２】内部構造を示す一部破断平面図である。
【図３】図２におけるＡ−Ａ線断面図である。
【図４】図２におけるＢ−Ｂ線断面図である。
【図５】蓋体とケース本体を分解した状態の斜視図である。
【図６】蓋体の動作を閉じ位置と開放待機位置、および開放位置の各動作位置において示す断面図である。
【図７】スライドロックの別実施例を示す断面図である。
【図８】収納ケースの比較例を示す縦断側面図である。
【符号の説明】
１  ディスクカートリッジ
１０  ケース本体
１１  蓋体
１２  第１開口
１５  側壁
１７  第２開口
１９  蓋側壁
２７  係合片
２８  ロック壁
Ｓ  スライドロック
【図１】
0003749982.tif 000002
【図２】
0003749982.tif 000003
【図３】
0003749982.tif 000004
【図４】
0003749982.tif 000005
【図５】
0003749982.tif 000006
【図６】
0003749982.tif 000007
【図７】
0003749982.tif 000008
【図８】
0003749982.tif 000009